【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
所定数の送信レーンのそれぞれに対して、前記所定数の送信レーンにそれぞれ対応づけられた所定数の送信レーン識別子を含む第１のレーン情報を供給する送信部を備えた
通信装置。
【請求項２】
前記送信部は、前記第１のレーン情報と、前記所定数の送信レーンのうちの第１の送信レーンに対応する送信レーン識別子とを含む第１のフレームを生成し、その第１のフレームを前記第１の送信レーンに対して供給する
請求項１に記載の通信装置。
【請求項３】
前記所定数の送信レーンのうちの、通信相手が受信可能な信号を送信する１または複数の送信レーンに対応する１または複数の送信レーン識別子を含む第２のレーン情報を受信する受信部と、
前記第２のレーン情報に基づいて、各送信レーンをオン状態またはオフ状態に設定するための制御信号を生成する送信制御部と
をさらに備えた
請求項２に記載の通信装置。
【請求項４】
前記第２のレーン情報は、前記所定数の送信レーン識別子と、前記通信相手における所定数の受信レーンにそれぞれ対応づけられた所定数の受信レーン識別子との対応関係を示す情報である
請求項３に記載の通信装置。
【請求項５】
送信データをそれぞれ生成し、データ識別子がそれぞれ対応づけられた複数の処理部をさらに備え、
前記送信部は、前記複数の処理部のうちの一の処理部が生成した送信データと、前記一の処理部に対応するデータ識別子とを含む第２のフレームを生成し、その第２のフレームを、オン状態に設定された１または複数の送信レーンのうちの第２の送信レーンに供給する
請求項３または請求項４に記載の通信装置。
【請求項６】
前記所定数の送信レーンと、
前記所定数の送信レーンに対応する所定数の通信レーンを含む複数の通信レーンを介して、通信相手と接続可能に構成されたコネクタと
をさらに備えた
請求項１から請求項５のいずれか一項に記載の通信装置。
【請求項７】
所定数の受信レーンのうちの第１の受信レーンから、通信相手における所定数の送信レーンにそれぞれ対応づけられた所定数の送信レーン識別子を含む第１のレーン情報を受け取る受信部を備えた
通信装置。
【請求項８】
前記受信部は、前記第１の受信レーンから、前記第１のレーン情報と、前記所定数の送信レーンのうちの前記第１のレーン情報を送信した送信レーンに対応する一の送信レーン識別子とを含む第１のフレームを受け取る
請求項７に記載の通信装置。
【請求項９】
前記第１のフレームに含まれる、前記第１のレーン情報および前記一の送信レーン識別子に基づいて、前記所定数の送信レーン識別子と、前記所定数の受信レーンにそれぞれ対応づけられた所定数の受信レーン識別子との対応関係を示す第２のレーン情報を生成する受信制御部をさらに備えた
請求項８に記載の通信装置。
【請求項１０】
前記受信制御部は、さらに、前記第２のレーン情報に基づいて、各受信レーンをオン状態またはオフ状態に設定するための制御信号を生成する
請求項９に記載の通信装置。
【請求項１１】
前記第２のレーン情報を前記通信相手に送信する送信部をさらに備えた
請求項９または請求項１０に記載の通信装置。
【請求項１２】
データ識別子がそれぞれ対応づけられた複数の処理部をさらに備え、
前記受信部は、オン状態に設定された１または複数の受信レーンのうちの第２の受信レーンから、送信データと、複数の前記データ識別子のうちの一のデータ識別子とを含む第２のフレームを受け取り、前記送信データを、前記複数の処理部のうちの前記一のデータ識別子に対応する処理部に供給する
請求項１０または請求項１１に記載の通信装置。
【請求項１３】
前記所定数の受信レーンと、
前記所定数の受信レーンに対応する所定数の通信レーンを含む複数の通信レーンを介して、前記通信相手と接続可能に構成されたコネクタと
をさらに備えた
請求項７から請求項１２のいずれか一項に記載の通信装置。
【請求項１４】
第１の通信装置と、
第２の通信装置と
を備え、
前記第１の通信装置は、複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を供給する送信部を有し、
前記第２の通信装置は、前記複数の通信レーンのうちの第２の所定数の通信レーンに対応する所定数の受信レーンのうちの第１の受信レーンから、前記第１のレーン情報を受け取る受信部を有する
通信システム。
【請求項１５】
複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を供給し、
前記複数の通信レーンのうちの第２の所定数の通信レーンに対応する所定数の受信レーンのうちの第１の受信レーンから、前記第１のレーン情報を受け取る
通信方法。
【請求項１６】
前記所定数の送信レーンのうちの第１の送信レーンに対して、前記第１のレーン情報と、前記第１の送信レーンに対応する一の送信レーン識別子とを含む第１のフレームを供給し、
前記第１の受信レーンから前記第１のフレームを受け取る
請求項１５に記載の通信方法。
【請求項１７】
前記第１の受信レーンから受け取った前記第１のフレームに含まれる、前記第１のレーン情報および前記一の送信レーン識別子に基づいて、前記所定数の送信レーン識別子と、前記所定数の受信レーンにそれぞれ対応づけられた所定数の受信レーン識別子との対応関係を示す第２のレーン情報を生成し、
前記第２のレーン情報に基づいて、各送信レーンをオン状態またはオフ状態に設定するとともに、各受信レーンをオン状態またはオフ状態に設定する
請求項１６に記載の通信方法。
【請求項１８】
オン状態に設定された１または複数の送信レーンのうちの第２の送信レーンに対して、送信データおよびデータ識別子を含む第２のフレームを供給し、
オン状態に設定された１または複数の受信レーンのうちの第２の受信レーンから、前記第２のフレームを受け取り、
前記第２の受信レーンが受信した前記第２のフレームに含まれる前記送信データを、前記第２のフレームに含まれる前記データ識別子に対応する処理部に供給する
請求項１７に記載の通信方法。
【手続補正２】
【補正対象書類名】明細書
【補正対象項目名】００５４
【補正方法】変更
【補正の内容】
【００５４】
通信装置２０において、送信部４０は、データ通信に先立ち、送信レーン情報ＴＬ１をデータＩＮＦに含むフレームＦpreを生成し、通信装置３０に対して送信する。通信装置３０では、受信部５０が、このフレームＦpreを受信する。そして、レーン構成取得部３８が、フレームＦpreのデータＩＮＦに含まれる送信レーン情報ＴＬ１と、そのフレームＦpreのヘッダＨに含まれる物理レーン番号ＰＮＴと、そのフレームＦpreを受信した物理レーンＰＲの物理レーン番号ＰＮＲとに基づいて、物理レーン対応情報ＴＢＬ１を生成する。レーン制御部３５は、この物理レーン対応情報ＴＢＬ１を、光ファイバ１２１〜１２４を介して、通信装置２０のレーン制御部２５に供給する。これにより、通信装置２０，３０は、物理レーン対応情報ＴＢＬ１を取得する。
【手続補正３】
【補正対象書類名】図面
【補正対象項目名】図５
【補正方法】変更
【補正の内容】
【図５】
2016184858.tif 000001
【手続補正４】
【補正対象書類名】図面
【補正対象項目名】図１１Ｃ
【補正方法】変更
【補正の内容】
【図１１Ｃ】
2016184858.tif 000002
【手続補正５】
【補正対象書類名】図面
【補正対象項目名】図１２Ｃ
【補正方法】変更
【補正の内容】
【図１２Ｃ】
2016184858.tif 000003
【手続補正６】
【補正対象書類名】図面
【補正対象項目名】図１３
【補正方法】変更
【補正の内容】
【図１３】
2016184858.tif 000004
【手続補正７】
【補正対象書類名】図面
【補正対象項目名】図１９
【補正方法】変更
【補正の内容】
【図１９】
2016184858.tif 000005